(57)【要約】【課題】受信部からの出力を常に最適な判別条件でコード判別が可能な電波修正時計を提供する。【解決手段】電波修正時計の受信状況判断手段１０は、コード判別を行う判別手段８の判別状況に応じて、記憶手段６に記憶されている判別条件１、判別条件２、・・・、判別条件Ｎの複数の判別条件から最適な条件を選択するように選択手段７を制御することで、判別手段８が受信部１からの出力を常に最適な判別条件でコード判別することができ、受信感度を向上させることが可能である。【選択図】        図１
2008304247.tif 000002
【特許請求の範囲】
【請求項１】
時刻情報を表すための第１コード及び第２コードを含む複数のコードを送信する標準電波を受信する電波修正時計であって、
該電波修正時計は、前記時刻情報を受信する受信部と、該受信部からの信号をサンプリングすることにより、前記受信部からの信号に前記複数のコードのいずれかが含まれているか否かを判別する判別手段と、前記サンプリングの結果が、前記第１コードを表す値と前記第２コードを表す値の間の値の場合に、前記受信部からの信号に、前記第１コードまたは前記第２コードのいずれかが含まれているか否かを判別する複数の異なる判別条件を記憶する記憶手段と、該記憶手段に記憶されている前記複数の異なる判別条件から一つの判別条件を選択する選択手段と、前記標準電波を受信しているときに、前記判別条件を切り替えて選択するように、前記選択手段を切り替え制御する切替制御手段とを有することを特徴とする電波修正時計。
【請求項２】
前記切替制御手段は、前記判別手段の判別結果に基づいて前記切り替え制御を行うことを特徴とする請求項１に記載の電波修正時計。
【請求項３】
前記複数の異なる判別条件は、前記第１コードを表す値と前記第２コードを表す値の間の値のうちの少なくとも所定の値のときに、前記受信部からの信号に、前記第１コードが含まれていると判別する第１判別条件と、前記第２コードが含まれていると判別する第２判別条件とを含み、前記切替制御手段は、前記判別手段が、前記第１コードを用いて表される所定の情報を検出する前は、前記第１検出条件を選択し、該第１検出条件に基づいて前記第１の情報を検出した後に、前記第２検出条件に切り替えるように前記切り替え制御を行うことを特徴とする請求項２に記載の電波修正時計。
【請求項４】
前記複数の異なる判別条件は、さらに、前記第１判別条件及び第２判別条件とは異なる第３判別条件を含み、前記切替制御手段は、前記第２検出条件に切り替えた後に、前記判別手段の判別結果に基づいて、前記第３判別条件を選択するように前記切り替え制御を行うことを特徴とする請求項３に記載の電波修正時計。
【請求項５】
前記所定の情報は、前記時刻情報の開始位置を検出するための情報である
ことを特徴とする請求項３に記載の電波修正時計。
【請求項６】
前記切替手段は、前記判別手段によって判別されたコードの正否を判断し、該正否の判断結果に基づいて、前記切り替え制御を行うことを特徴とする請求項２に記載の電波修正時計。
【請求項７】
前記判別手段は、各コードを表す波形の開始点を基準として、次のコードの波形の開始点までの所定のサンプリング期間の間に所定回数レベル検出をするとともに、所定レベルの検出回数に基づいて前記複数のコードのいずれかが含まれているか否かを判別し、前記第１判別条件では、前記所定レベルが第１所定回数以下の場合に、前記受信部からの信号に前記第１コードが含まれていると判別するとともに、前記第１所定回数より多い第２所定回数以上の場合に、前記受信部からの信号に、前記第２コードが含まれていると判別し、前記第２判別条件では、前記所定レベルが前記第１所定回数よりも少ない第３所定回数以下の場合に前記受信部からの信号に前記第１コードが含まれていると判別するとともに、前記第２所定回数より多い第４所定回数以上の場合に、前記受信部からの信号に、前記第２コードが含まれていると判別することを特徴とする請求項１〜６のいずれか１項に記載の電波修正時計。
【発明の詳細な説明】
【技術分野】
【０００１】
本発明は時刻情報を含む標準電波を受信し、受信した時刻情報に基づいて時刻を自動修正する電波修正時計に関するものである。
【背景技術】
【０００２】
時刻情報を含む標準電波を小型アンテナで受信し、時刻修正を自動的に行う電波修正時計は、アンテナの小型高性能化、受信装置の低消費電力化、コストダウン等の技術開発が進み、製品化が盛んに行われている。また、標準電波を送信する送信局も日本だけでなく、アメリカ、ヨーロッパ、アジアと各国各地域で建設が進み世界的な広がりを見せている。時刻データの送信は、１ｂｉｔ／秒で１分間を１フレームとしており、このフレーム内には分・時・カレンダ等の情報が含まれている（図６参照）。
【０００３】
受信は、一般的にアンテナが接続された受信ＩＣが復調処理を施した復調信号を出力し、マイクロプロセッサで受信処理用ソフトを動作させ、時刻データを抽出する。この受信処理用ソフトについては様々な提案がなされている。例えば、特許文献１に記載の電波時計では、受信信号の１ｂｉｔ分を所定の周期でサンプリングするとともに、サンプリングの複数周期分を一つの区間として受信信号の１ｂｉｔ内に複数の区間を設定し、各区間ごとの個々のサンプリング結果がＨレベルか、Ｌレベルであるかを判別し、その結果に基づいて各区間範囲がＨレベルであるのか、Ｌレベルであるのかを判別している。
【０００４】
【特許文献１】特開２００３−２２２６８７号公報（段落００７１、図４）
【発明の開示】
【発明が解決しようとする課題】
【０００５】
しかしながら、特許文献１の受信処理においては、各区間範囲、および各区間ごとの個々のサンプリング結果のＨレベル、Ｌレベルの決定はあらかじめ固定された条件で行われており、受信が不安定な弱電界強度やノイズの多い環境下で波形の立ち上がり（開始点）が所望の位置に対してばらついて検出された場合、正常なコード判別ができない問題がある。
【課題を解決するための手段】
【０００６】
上記課題を解決するため、本発明は、時刻情報を表すための第１コード及び第２コードを含む複数のコードを送信する標準電波を受信する電波修正時計であって、該電波修正時計は、前記時刻情報を受信する受信部と、該受信部からの信号をサンプリングすることにより、前記受信部からの信号に前記複数のコードのいずれかが含まれているか否かを判別する判別手段と、前記サンプリングの結果が、前記第１コードを表す値と前記第２コードを表す値の間の値の場合に、前記受信部からの信号に、前記第１コードまたは前記第２コードのいずれかが含まれているか否かを判別する複数の異なる判別条件を記憶する記憶手段と、該記憶手段に記憶されている前記複数の異なる判別条件から一つの判別条件を選択する選択手段と、前記標準電波を受信しているときに、前記判別条件を切り替えて選択するように、前記選択手段を切り替え制御する切替制御手段とを有することを特徴としている。
【０００７】
また、前記切替制御手段は、前記判別手段の判別結果に基づいて前記切り替え制御を行うことを特徴としている。
【０００８】
また、前記複数の異なる判別条件は、前記中間の値のうちの少なくとも所定の値のときに、前記受信部からの信号に、前記第１コードが含まれていると判別する第１判別条件と、前記第２コードが含まれていると判別する第２判別条件とを含み、前記切替制御手段は、前記判別手段が、前記第１コードを用いて表される所定の情報を検出する前は、前記第１検出条件を選択し、該第１検出条件に基づいて前記第１の情報を検出した後に、前記第２検出条件に切り替えるように前記切り替え制御を行うことを特徴としている。
【０００９】
また、前記複数の異なる判別条件は、さらに、前記第１判別条件及び第２判別条件とは異なる第３判別条件を含み、前記切替制御手段は、前記第２検出条件に切り替えた後に、前記判別手段の判別結果に基づいて、前記第３判別条件を選択するように前記切り替え制御を行うことを特徴としている。
【００１０】
また、前記所定の情報は、前記時刻情報の開始位置を検出するための情報であることを特徴としている。
【００１１】
また、前記切替手段は、前記判別手段によって判別されたコードの正否を判断し、該正否の判断結果に基づいて、前記切り替え制御を行うことを特徴とする。
【００１２】
また、前記判別手段は、各コードを表す波形の開始点を基準として、次のコードの波形の開始点までの所定のサンプリング期間の間に所定回数レベル検出をするとともに、所定レベルの検出回数に基づいて前記複数のコードのいずれかが含まれているか否かを判別し、前記第１判別条件では、前記所定レベルが第１所定回数以下の場合に、前記受信部からの信号に前記第１コードが含まれていると判別するとともに、前記第１所定回数より多い第２所定回数以上の場合に、前記受信部からの信号に、前記第２コードが含まれていると判別し、前記第２判別条件では、前記所定レベルが前記第１所定回数よりも少ない第３所定回数以下の場合に前記受信部からの信号に前記第１コードが含まれていると判別するとともに、前記第２所定回数より多い第４所定回数以上の場合に、前記受信部からの信号に、前記第２コードが含まれていると判別することを特徴とする。
【発明の効果】
【００１３】
本発明によれば受信の進行状況や受信ＩＣからの出力等に応じ、最適なコード判別条件を選択することができるるため、受信感度を向上させることが可能である。
【発明を実施するための最良の形態】
【００１４】
以下に添付図面を参照して、この発明にかかる電波修正時計の好適な実施の形態を詳細に説明する。
【００１５】
図１に基づいて本発明の実施例１としての電波修正時計の回路構成の概略を説明する。１は各国の送信局の標準電波を選択的に受信する受信手段としての受信部である。該受信部１は、標準電波を受信する受信アンテナ２と、該受信アンテナ２と同調回路を形成する同調手段３と、受信ＩＣ４によって構成される。同調手段３は、図示しないが内部に複数の同調用コンデンサを有し、該複数のコンデンサを受信アンテナに対して切り替えることにより、同調回路の同調周波数を変化させて標準電波の受信周波数を切り替え、同調信号Ｐ１を出力する。
【００１６】
受信ＩＣ４は、図示しないが内部に増幅回路、フィルタ回路、デコード回路等を有し、同調信号Ｐ１を入力してデジタル信号に変換された復調信号Ｐ２を出力する。１８は電波修正時計の全体を制御する制御手段であり、復調信号Ｐ２を入力して０、１などのコードを識別する判別回路８、判別回路８の判別結果を元に受信状況を判断する受信状況判断手段１０、コード判別の条件を記憶する記憶手段６、受信状況判断手段からの出力を受けて
記憶手段６に記憶されている判別条件を選択する選択手段７、判別条件８の出力される時刻情報から時刻を生成する時刻作成手段９、基準信号源１２の信号を分周して時刻の計時を行い日付、時刻などの計時情報を記憶し、受信成功時には時刻作成手段９から出力される時刻データを入力して計時データを変更する計時手段１１、計時手段１１の時刻データを入力する表示駆動手段１３、時計制御に関わる各種データを一時的に記憶するＲＡＭ１４、受信処理を含め時計制御を行うＲＯＭ１５等によって構成される。
【００１７】
また、制御手段１８は、受信制御信号Ｐ１０を同調手段３に対しては所望する受信周波数に同調するよう制御し、受信ＩＣ４に対しては受信開始および終了の制御を行う。尚、制御手段１８は、ＲＯＭ１５に記憶されるファームウエアによって動作するマイクロコンピュータであることがシステムに柔軟性があって好ましいが、これに限定されず、各機能をハードウエアによって構成するカスタムＩＣであっても良い。また、図１で示す回路構成は、これに限定されず、本発明の要旨を逸脱しない範囲で任意に変更できる。
【００１８】
次に、入力手段５は、図示しないが時計の竜頭や操作ボタンによって成り、入力信号Ｐ１１が制御手段１８に入力されて手動による時刻修正や受信開始動作等を実行する。表示部１６は、制御手段１８の表示駆動手段１３からの駆動信号を入力して時刻や日付等を表示する。１２は水晶振動子（図示せず）を内蔵する基準信号源であり、基準信号Ｐ１２を制御手段に出力し、基準信号Ｐ１２は計時手段１１が記憶する前記計時情報を計時する基準クロックとして機能する。１７は一次電池又は二次電池等によって成る電源部であり、図示しないが電源ラインを介して各回路ブロックに電源を供給する。
【００１９】
図１に基づいて電波修正時計の概略動作を説明する。電源部１７によって各回路ブロックに電源が供給されると、制御手段１８は初期化処理を実行して各回路ブロックを初期化する。この結果、制御手段１８の計時手段１１の内部の計時情報は初期化されてＡＭ００：００：００となり、この初期化された計時情報に基づいて表示駆動手段１３から駆動信号が出力され、表示部１６の秒針、分針、時針（図示せず）は基準位置であるＡＭ００：００：００に移動し、また、日付表示部（図示せず）も基準位置に移動する。尚、表示部１６の基準位置への自動的な移動は、表示部１６を駆動する電波修正時計内部の輪列機構（図示せず）に位置検出機構が備えられている場合に可能となるが、位置検出機構が備えられていない場合は、使用者が入力手段５の竜頭または操作ボタンを使いマニュアルで基準位置に移動させると良い。
【００２０】
次に、計時手段１１は基準信号源１２からの基準信号Ｐ１２を入力して計時を開始し、表示駆動手段１３は順次計時される計時情報に基づいて駆動信号を出力して表示部１６を継続的に駆動する。また、制御手段１８は、使用者による入力手段５の操作や一定時間毎のタイマー等によって時刻修正モードに移行し、標準電波を受信して表示時刻の自動修正を実行する。
【００２１】
以降、時刻修正モードの動作を図２のフローチャートに基づいて日本の標準電波の場合を例に説明する。電波修正時計が使用者の操作やタイマー等によって時刻修正モードに移行すると、制御手段１８は受信制御信号Ｐ１０を同調手段３および受信手段４に対して出力し、同調手段３は受信制御信号Ｐ１０によって指定された受信周波数に切り替えて、受信手段４は受信動作を開始する（フローＳＴ１）。
【００２２】
次に、標準電波が受信アンテナ２によって受信されると、同調手段３は同調信号Ｐ１を出力し、受信ＩＣ４は微弱な信号である同調信号Ｐ１を入力して増幅し、フィルタ回路（図示せず）によってノイズ成分等を除去し、更にデコード回路（図示せず）によってデジタル信号に変換し、復調信号Ｐ２を出力する（フローＳＴ２）。
【００２３】
次に、判別手段８は、復調信号Ｐ２を入力し、一定周期（例えば６４Ｈｚ周期）でサンプリングを行い、図４に示す日本の各コードの開始点（以下、秒同期位置）の検出を行う。日本の場合は秒同期位置は立ち上がりとなるため、立ち上がりのエッジ検出を行う（フローＳＴ３）。検出方法の詳細については省略する。ＳＴ３で秒同期位置の検出ができない場合はＳＴ４に進み、秒同期位置検出に割り当てられた期間内（たとえば受信を開始してから１分）であるかを判断し、この期間内に検出できない場合はＳＴ１７に進み受信失敗として受信を終了する。ＳＴ４で検出期間内であればＳＴ３に戻り秒同期位置検出を継続する。ＳＴ３で秒同期位置検出が期間内に検出できた場合はＳＴ５に進み、コードの判別条件１０１によるコード判別を開始する。
【００２４】
ここでコード判別方法について、図４の送信コード波形と、図５の判別条件を参照しながら説明する。コード判別は日本の場合、秒同期位置から２００ｍｓから８００ｍｓの間、つまり、６４Ｈｚでサンプリングする場合、秒同期位置を０番目のサンプリングとすると、１３番目（２０３．１２５ｍｓ）から５１番目（７９６．８７５ｍｓ）をサンプリングする。これら３９箇所のサンプリングでＨレベルを検出した箇所をカウント（カウント値をＨＣとする）していく。理想的なコード出力の場合、０コードではＨＣ＝３９、１コードではＨＣ＝２０、ＰコードではＨＣ＝０となる。それぞれのコード判別が優劣なく決定するための条件はＰコードと１コードの中間である３５０ｍｓ（サンプリングの位置では２２番目もしくは２３番目）、また１コードと０コードの中間である６５０ｍｓ（サンプリングの位置では４１番目もしくは４２番目）がコード判定の分岐点となり、ＨＣが１１未満ならＰコード、ＨＣが１１以上３０以下なら１コード、ＨＣが３１以上なら０コード、である。この中立的な条件をここでは判別条件１０２とする。
【００２５】
判別条件１０１は、判別条件１０２よりもＰコードに決定する確率を他コード（０コード、１コード）よりも上げた条件に設定する。その理由としては、時刻情報の読み取りには情報の先頭、すなわち日本のタイムコードの場合、Ｐコードが２回連続で現れる５９秒位置、０秒位置（以下、分同期位置）を検出する必要があるためである。このようにＰコード判別の確率を上げることで、ノイズなどの影響によりＰコードが判断しにくい状況でも円滑に受信処理が進められることになる。具体的には判別条件１を図５の判別条件１０１のような条件とすることで他コードよりも判別される確率を上げている。
【００２６】
理想的なＰコードのＨＣの値０と、理想的な１コードのＨＣの値２０との間の値であるＨＣ＝０〜２０のうち、その一部の値であるＨＣ＝１１〜１５は、判別条件１０１では、Ｐコードと判別し、判別条件１０２では１コードと判別している。このように、ＨＣが理想的なＰコードと１コードの間の値のうちの一部の値に対して、Ｐコードと判別する判別条件と、１コードと判別する判別条件とを設けている。
【００２７】
次に、上記判別条件１０１によるコード判別を行い（フローＳＴ６）、コード判別が終わる毎に分同期位置かどうかの判定を行う（フローＳＴ７）。分同期位置を検出してる時でもその他のコードの判別を行い、判別条件１０１が適正であるかを受信状況判断手段１０で監視する。このようにすることで、例えば秒同期検出の位置が受信が不安定な中でばらついて本来の位置に対してずれている場合、判別条件１でのコード判別が大半がＰコードとなってしまうような可能性もある。このような状況では判別条件１は適切な条件とは言えず、図示しないが別の判別条件に切り替えるか、秒同期検出をやり直すか対応を取る必要がある。よって分同期検出処理中もＰコードだけではなく他コードも判別することが望ましい。
【００２８】
ＳＴ７で分同期位置の検出ができない場合はＳＴ８に進み、分同期検出に割り当てられた期間内（例えば受信を開始してから５分）であるかを判断し、この期間内に検出できない場合はＳＴ１７に進み受信失敗として受信を終了する。ＳＴ８で期間内であればＳＴ６
に戻り分同期検出を継続する。
【００２９】
ＳＴ７で分同期検出が期間内に検出できた場合はＳＴ９に進み、コードの判別条件１０２によるコード判別を開始する（フローＳＴ１０）。判別条件１０２は、前述した通りどのコードに対してもほぼ中立としている。
【００３０】
上記コード判別後、判別条件１０２が判別条件として適しているかどうかを検証するために所定期間（例えば分同期位置検出後１分間）、判別ミスの出現数をカウントする。判別ミスとは、所定の位置（０秒、９秒、１９秒、２９秒、３９秒、４９秒、５９秒）以外で判別されたＰコードなどである。つまりＳＴ１１で所定期間内であればＳＴ１８に進み、Ｐコードと判別された場合ＳＴ１９に進み、ＰコードカウンタＰ（ｎ）に＋１する。ＳＴ１１で所定期間が終了するとＳＴ２０に進み、Ｐコードカウンタが３以上、つまり判別ミスとなった数が１０を超えた場合は判別条件１０２から判別条件１０３に切り替える（フローＳＴ１２）。またＰコードカウンタＰ（ｎ）が９以下の場合は判別条件２がコード判別として最適な条件と判断する。判別条件３は図５の判別条件１０３のような条件とすることでＰコードよりもその他のコードに判別される確率を上げている。
【００３１】
上記条件でコード判別すると、ＳＴ１３に進み時刻情報を抽出し、必要とする情報を全て取得したかを判断する。取得した場合はＳＴ１４に進み、情報が正常かどうかを判断し、正常であれば受信成功として受信を終了する。ＳＴ１３で時刻情報を全て取得していない場合、またＳＴ１４で時刻情報が正常でない場合はＳＴ１６に進み、時刻を生成するために割り当てられた期間内（例えば受信を開始してから２０分）であるかを判断し、この期間内であればＳＴ１０に戻り、期間が終了した場合はＳＴ１７に進み、受信失敗として受信を終了する。
【００３２】
以上説明したように、本実施形態によれば、コード判別条件を状況により適宜変更することでコード判別のミスを軽減し、受信成功の確率を上げる効果が得られる。
【００３３】
また、本実施例では分同期検出後に時刻情報を受信する処理となっているが、これに限らず、例えば０もしくは１コードに決定する確率を上げている判別条件を先にして必要とする情報量を蓄積した後、Ｐコードに決定する確率を上げている判別条件に切り替えるようにしても良い。
【００３４】
また、本実施例では判別条件についてはそれぞれのステップで１条件を例としてあげているが、これに限らず判別条件１は図５の判別条件１１１、判別条件３は図５の判別条件１１３のようにしても良い。
【００３５】
また、本実施例では判別条件について、０コード、１コード、Ｐコードいずれかに決定する例としているが、これに限らず、例えばＰコードと１コードのちょうど中間（３５０ｍｓ）のような曖昧な波形の場合はコードの誤判読を防ぐためにエラー判別するような領域（例えば秒同期検出位置から約３００ｍｓから約４００ｍｓ）を設けても良い。
【００３６】
次に、本実施例２として図３のフローチャートに基づいてドイツの標準電波の場合を例に説明する。電波修正時計が使用者の操作やタイマー等によって時刻修正モードに移行すると、制御手段１８は受信制御信号Ｐ１０を同調手段３および受信手段４に対して出力し、同調手段３は受信制御信号Ｐ１０によって指定された受信周波数に切り替えて、受信手段４は受信動作を開始する（フローＳＴ１）。
【００３７】
次に、標準電波が受信アンテナ２によって受信されると、同調手段３は同調信号Ｐ１を出力し、受信ＩＣ４は微弱な信号である同調信号Ｐ１を入力して増幅し、フィルタ回路（
図示せず）によってノイズ成分等を除去し、更にデコード回路（図示せず）によってデジタル信号に変換し、復調信号Ｐ２を出力する（フローＳＴ２）。
【００３８】
次に、判別手段８は、復調信号Ｐ２を入力し、一定周期（例えば６４Ｈｚ周期）でサンプリングを行い、図４に示すドイツの各コードの開始点（以下、秒同期位置）の検出を行う。ドイツの場合は秒同期位置は立ち下がりとなるため、立ち下がりのエッジ検出を行う（フローＳＴ３）。検出方法の詳細については省略する。ＳＴ３で秒同期位置の検出ができない場合はＳＴ４に進み、秒同期位置検出に割り当てられた期間内（たとえば受信を開始してから１分）であるかを判断し、この期間内に検出できない場合はＳＴ１７に進み受信失敗として受信を終了する。ＳＴ４で検出期間内であればＳＴ３に戻り秒同期位置検出を継続する。ＳＴ３で秒同期位置検出が期間内に検出できた場合はＳＴ５に進み、コードの判別条件２０１によるコード判別を開始する。
【００３９】
ここでコード判別方法について、図４の送信コード波形と、図５の判別条件を参照しながら説明する。コード判別はドイツの場合、秒同期位置から２００ｍｓの間、つまり、６４Ｈｚでサンプリングする場合、秒同期位置を０番目のサンプリングとすると、１番目（１５．６２５ｍｓ）から１２番目（１８７．５ｍｓ）をサンプリングする。これら１２箇所のサンプリングでＬレベルを検出した箇所をカウント（カウント値をＬＣとする）していく。理想的なコード出力の場合、０コードではＬＣ＝６もしくは７、１コードではＬＣ＝１２、ＭコードではＬＣ＝０となる。それぞれのコード判別が優劣なく決定するための条件はＭコードと０コードの中間である５０ｍｓ（サンプリングの位置では３番目もしくは４番目）、また０コードと１コードの中間である１５０ｍｓ（サンプリングの位置では９番目もしくは１０番目）がコード判定の分岐点となり、ＬＣが４未満ならＭコード、ＬＣが４以上９以下なら０コード、ＬＣが１０以上なら１コード、である。この中立的な条件をここでは判別条件２０２とする。
【００４０】
判別条件２０１は判別条件２０２よりもＭコードに決定する確率を他コード（０コード、１コード）よりも上げた条件に設定する。時刻情報の読み取りには情報の先頭、すなわちドイツのタイムコードの場合、Ｍコードが現れる５９秒位置（以下、分同期位置）を検出する必要がある。このようにＭコード判別の確率を上げることで、ノイズなどの影響によりＭコードが判断しにくい状況でも円滑に受信処理が進められることになる。具体的には判別条件２０１を図５の判別条件２０１のような条件とすることで他コードよりも判別される確率を上げている。
【００４１】
次に、上記判別条件２０１によるコード判別を行い（フローＳＴ６）、コード判別が終わる毎に分同期位置かどうかの判定を行う（フローＳＴ７）。分同期位置を検出している時でもその他のコードの判定を行い、判別条件１が適正であるかを受信状況判断手段１０で監視する。このようにすることで、例えば秒同期検出の位置が受信が不安定な中でばらついて本来の位置に対してずれている場合、判別条件２０１でのコード判別が大半がＭコードとなってしまうような可能性もある。このような状況では判別条件１は適切な条件とは言えず、別の判別条件に切り替えるか、秒同期検出をやり直すかで対応を取る必要があるため、Ｍコード以外のコードの判別も行う。
【００４２】
ＳＴ７で分同期位置の検出ができない場合はＳＴ８に進み、分同期検出に割り当てられた期間内（例えば受信を開始してから５分）であるかを判断し、この期間内に検出できない場合はＳＴ１７に進み受信失敗として受信を終了する。ＳＴ８で期間内であればＳＴ６に戻り分同期検出を継続する。
【００４３】
ＳＴ７で分同期検出が期間内に検出できた場合はＳＴ９に進み、コードの判別条件２０２によるコード判別を開始する（フローＳＴ１０）。判別条件２０２のコード決定は、ど
のコードに対してもほぼ中立とし、具体的には図５の判別条件２０２のような条件としている。
【００４４】
上記コード判別後、判別条件２０２が判別条件として適しているかどうかを検証するために所定期間（例えば分同期位置検出後１分間）、１コードの出現数をカウントする。１コードは１フレーム内に数ヶ所は検出できていなければならないが、例えば１コードが１つも検出できていないということは判別条件２０２が適していない可能性が高い。よって判別条件２０２が適しているかを検証するために、ＳＴ１８で１コードかどうかを判別し、１コードならＳＴ１９に進み１コードカウンタＣＤ１（ｎ）に＋１する。１コードでなければ１コードカウンタＣＤ１（ｎ）はそのままとする。
【００４５】
次にＳＴ２０で所定期間が終了したか判断し、終了していればＳＴ２１に進み、１コードカウンタＣＤ１（ｎ）が５以下であれば判別条件２０２は適していないと判断し、ＳＴ２２に進み判別条件２０３に切り替える。以後、判別条件２０３でコード判別を行っていく。判定条件２０３は図５の判別条件２０３のような条件としている。
【００４６】
また、ＳＴ２１で６以上の場合はＳＴ２３に進み１コードカウンタＣＤ１（ｎ）が３４以上かを判断する。これは１コードが出現する可能性の最大値を超えている場合を想定しており、その場合はＳＴ２４に進み判別条件２０４（条件の具体例は図示せず）に切り替える。以後判別条件２０４でコード判別を行っていく。
【００４７】
上記条件でコード判別すると、ＳＴ１３に進み時刻情報を抽出し、必要とする情報を全て取得したかを判断する。取得した場合はＳＴ１４に進み、情報が正常かどうかを判断し、正常であれば受信成功として受信を終了する。ＳＴ１３で時刻情報を全て取得していない場合、またＳＴ１４で時刻情報が正常でない場合はＳＴ１６に進み、時刻を生成するために割り当てられた期間内（例えば受信を開始してから２０分）であるかを判断し、この期間内であればＳＴ１０に戻り、期間が終了した場合はＳＴ１７に進み、受信失敗として受信を終了する。
【００４８】
以上説明したように、本実施形態によれば、コード判別条件を状況により適宜変更することでコード判別のミスを軽減し、受信成功の確率を上げる効果が得られる。
【００４９】
また、本実施例では、日本、ドイツのコードについて説明したがこれに限らず、アメリカ等の他のコードについても容易に適用できる。アメリカの場合、図４に示すように、０コードは秒同期位置から２００ｍｓ間、１コードは５００ｍｓ間、Ｐコードは８００ｍｓ間、Ｌレベルとなっている。日本がＨレベルを検出していたのに対しＬレベルを検出するようにし、また図５の判別条件１０１等に記載されているＰコード決定条件、および０コード決定条件を入れ替えることで容易に対応ができる。
【００５０】
また、本実施例では、日本ではＰコードと１コード、ドイツではＭコードと０コードの判別条件が変更するようにしているが、これに限らず、日本では１コードと０コード、ドイツでは０コードと１コードの判別条件も同時に変更するようにしても良い。これは、例えば受信ＩＣからの出力信号Ｐ２が全体的に短く（日本の場合Ｐ、１，０コードがそれぞれ１００ｍｓ、４００ｍｓ、７００ｍｓとなる）ような場合に対し有効である。逆に全体的に長くなる場合についても同様に有効である。この他、多数のコードを出力する標準電波に対しても、多数のコード間で上記と同様に複数の判別条件を同時に変更するようにしても良い。
【図面の簡単な説明】
【００５１】
【図１】本発明の実施例１にかかる電波修正時計のブロック図である。
【図２】本発明の実施例１にかかる電波修正時計の動作の内容を示すフローチャートである。
【図３】本発明の実施例２にかかる電波修正時計の動作の内容を示すフローチャートである。
【図４】各国の送信コード波形を示す図である。
【図５】本発明の実施例１及び２にかかかる判別条件を示す図である。
【図６】各国の時刻情報の送信フォーマットを示す図である。
【符号の説明】
【００５２】
１  受信部
６  記憶手段
７  選択手段
８  判別手段
９  時刻作成手段
１０  受信状況判断手段
１１  計時手段
【図１】
2008304247.tif 000003
【図２】
2008304247.tif 000004
【図３】
2008304247.tif 000005
【図４】
2008304247.tif 000006
【図５】
2008304247.tif 000007
【図６】
2008304247.tif 000008